(57)【特許請求の範囲】
【請求項１】
（１）（ａ）相互に平行で長さ方向に延び、中央に屈伸部を有し、その屈伸部が伸直状態では直線状となる２つの支持棒部と、（ｂ）前記の２つの支持棒部を相互に幅方向で連結する少なくとも２つの連結横棒部と
を含むフレーム部、
（２）前記フレーム部に連結し、前記フレーム部の前記の２つの支持棒部が水平面上で相互に平行になるように上方から懸下することのできる懸下手段、及び
（３）前記の２つの支持棒部の下側面に、下側面から下方向に突出して設けられた複数個のハンガー係止部
を含む折畳式ハンガーホルダーであって、
前記支持棒部は２つのみであり、
前記の各ハンガー係止部は、それぞれ１つの挿入孔を有し、その挿入孔にはハンガーのヘッド部を挿入することによってハンガーを装着することができ、
前記の各挿入孔は、ハンガーが前記の２つの支持棒部と直交する方向にハンガーを装着することが可能で、装着されたハンガーは挿入孔に係止されたヘッド部を回転中心として前記の２つの支持棒部の長さ方向に回転可能に挿入孔に挿入することができ、
前記フレーム部は、前記ハンガー係止部を有する下側面が相互に近接する方向のみに前記屈伸部を屈曲させることができ、
前記の２つの支持棒部が、それぞれ同数のハンガー係止部を備え、
前記の２つの支持棒部において、支持棒部の一方の端部と屈伸部との間を第１ハーフ部分とし、支持棒部のもう一方の端部と屈伸部との間を第２ハーフ部分とした場合に、前記の２つの支持棒部の第１ハーフ部分に設けたハンガー係止部の合計数と、前記の２つの支持棒部の第２ハーフ部分に設けたハンガー係止部の合計数とが同数になり、
一方の支持棒部においてハンガー係止部を設けた位置に対応するもう一方の支持棒部の平行対応位置はハンガー係止部を設けていない凹部とし、前記の一方の支持棒部においてハンガー係止部を設けていない凹部の位置に対応するもう一方の支持棒部の平行対応位置にはハンガー係止部を設け、
前記の２つの支持棒部にハンガーを装着しない状態において前記フレーム部を屈曲させ、前記の２つの支持棒部において、それぞれの第１ハーフ部分と第２ハーフ部分とを最終的に到達可能な最終屈曲状態にした場合に、第１ハーフ部分に設けた各ハンガー係止部は、第２ハーフ部分においてハンガー係止部を設けていない凹部に入り込み、第２ハーフ部分に設けた各ハンガー係止部は、第１ハーフ部分においてハンガー係止部を設けていない凹部に入り込む位置に各ハンガー係止部が配置され、前記フレーム部の全体において、前記の２つの支持棒部の第１ハーフ部分と第２ハーフ部分とがほぼ平行な完全屈曲状態になり、
前記のハンガー係止部に装着が可能で、開閉可能リング状ヘッド部を有するハンガー１つだけを、或る任意の支持棒部のいずれか１つの任意のハンガー係止部の挿入孔に装着させて、屈伸部を上方にし、ハンガーを装着させたハンガー係止部が重力方向の下方になるように、その支持棒部と前記ハンガーとを懸下させた場合に、前記ハンガーの開閉可能リング状ヘッド部とそのヘッド部に連結するネック部とが、同一支持棒部上の他のハンガー係止部と接触せず、もう一方の支持棒部上のハンガー係止部とも接触しないように各々のハンガー係止部を配置し、
前記ハンガー係止部に装着が可能で、開閉可能リング状ヘッド部を有するハンガーを、或る任意の支持棒部のいずれか１つの任意のハンガー係止部の挿入孔に装着させ、フレーム部の前記の２つの支持棒部を水平面に相互に平行に配置し、装着させたハンガーをハンガー係止部から重力方向の下方に懸下させ、前記フレーム部の上方からハンガーの方向に観察した場合に、フレーム部に平行な平面上で、ハンガーのヘッド部を中心としてショルダー部先端が回転する範囲が、ヘッド部とショルダー部先端とを結ぶ直線が支持棒部と直交する状態を基準として左方向及び右方向にそれぞれ６０度以内になるように、挿入孔の開口径及び開口部長さを調整し、そして
前記フレーム部を折り畳んだ際に、前記懸下手段を支持棒部の第１ハーフ部分と第２ハーフ部分との間に挿入して収納することができる
ことを特徴とする、前記折畳式ハンガーホルダー。
【請求項２】
前記ハンガー係止部が、相互に平行な２片のハンガー係止部片からなることを特徴とする、請求項１に記載の折畳式ハンガーホルダー。
【請求項３】
（１）請求項１又は２に記載の折畳式ハンガーホルダーと、
（２）開閉可能リング状ヘッド部を有するハンガーと
の組合せを含むハンガーセットであって、前記ハンガーが、
（ａ）開閉可能なリング状ヘッド部と、
（ｂ）前記ヘッド部と連結し、前記ヘッド部の開閉操作を行うハンドル部を有するネック部と、
（ｃ）前記ネック部に連結するショルダー部と
を含み、
前記ハンガーのリング状ヘッド部が、前記折畳式ハンガーホルダーのハンガー係止部に設けた挿入孔に挿入可能であることを特徴とする、前記ハンガーセット。
【発明の詳細な説明】
【技術分野】
【０００１】
本発明は、折畳式ハンガーホルダー及びハンガーセットに関する。
本発明による折畳式ハンガーホルダーは、種々の衣料用ハンガーを着脱自在に又は固定して装着することができ、ハンガーの非装着時には極めて省スペース化された直方体状に折り畳むことができるだけでなく、開閉可能なリング状ヘッド部を有する非脱落性ハンガーの着脱自在型ホルダーとして特に有効に利用することができ、前記の非脱落性ハンガーの装着時又は固定式ハンガーを備えたハンガー掛け具の状態においても、コンパクトに折り畳むことが可能である。
また、本発明によるハンガーセットは、前記折畳式ハンガーホルダーと、開閉可能なリング状ヘッド部を有する非脱落性ハンガーとの組合せからなるセットである。
【背景技術】
【０００２】
多数の衣料用ハンガーを吊り下げて保持するハンガー掛け具が知られており（例えば、特許文献１又は２）、その中でも、中央部から２つに折り畳むことができ、コンパクトな状態での収納が可能な折畳式ハンガー掛け具も知られている（例えば、特許文献３）。折畳式ハンガー掛け具では、例えば、１つの折畳式ハンガー掛け具に、ハンガー１０個を並列に密集して取り付けた１０連タイプなどが実用化されており、洗濯物を吊り下げて乾燥させる際には中央屈伸部を伸直させた直線状態で使用し、洗濯物を取り外して収納する際には中央屈伸部を屈曲させて２つに折り畳むことができる。こうした折畳式ハンガー掛け具で、従来から実用化されているのは、個々のハンガーがハンガー掛け具に固定されて、取り外すことのできない固定型のハンガー掛け具だけであり、個々のハンガーをハンガーホルダーに着脱自在に装着可能な着脱自在タイプは知られていない。
【０００３】
図１６は、従来から実用化されている１０連タイプの固定型折畳式ハンガー掛け具６を物干し竿７に吊り下げた状態の斜視図である。このハンガー掛け具６は、フレーム部６１と、懸下手段としての開閉型フック部６２とを含み、フレーム部６１は、中央屈伸部６６を有する２本の平行な支持棒部６１Ａ，６１Ｂと、支持棒部６１Ａ，６１Ｂの両側端部に配置した連結横棒部６３とを含む。１０個のハンガー６５は、支持棒部６１Ａ，６１Ｂの棒状部本体に設けた固定孔によって、フレーム部６１の長さ方向（図１６の矢印Ａの方向）に並列に吊下されている。開閉型フック部６２は、開閉ヘッド部６２ａとアーム部６２ｂとそれらを連結する連結部６２ｃを含み、アーム部６２ｂの下方端部は、フレーム部６１の左右の両端領域と連結している。なお、懸下手段としては、Ｓ字の上半分の形状（以下、半Ｓ字状と称する）を有する一対のフック６４ｘ，６４ｙをフレーム部６１の左右の両端領域に設けることもできる。また、ハンガー掛け具６は、中央屈伸部６６において上方（図１６の矢印Ｂの方向）へ屈曲させて、２つに折り畳むことができる。
【０００４】
図１６に示すハンガー掛け具６では、各ハンガー６５が、長さ方向（図１６の矢印Ａの方向）に回転可能に、２本の平行な支持棒部６１Ａ，６１Ｂの棒状部本体に設けた固定孔で固定されている。従って、中央屈伸部６６を利用する折り畳み操作や開き伸ばし操作の際に、個々のハンガー６５がハンガー掛け具６から脱落することがない。また、各ハンガー６５の上部の２箇所が、２本の平行な支持棒部６１Ａ，６１Ｂの棒状部本体に設けた固定孔において平行に支持されているので、フレーム部６１に平行な平面上でのショルダー部の左回転又は右回転が事実上発生せず、各ハンガー６５の回転方向がそれぞれフレーム部６１の長さ方向に平行に揃うため、折り畳み操作や開き伸ばし操作の際に、各ハンガー６５が絡み合うこともなく、円滑に折り畳み操作や開き伸ばし操作を行うことができる。
【０００５】
更に、図１６に示すハンガー掛け具６では、各ハンガー６５の上部の構造を複雑にする必要が無く、単純な構造で目的を充分に果たすことができ、上部の長さ（図１６のｈ）を短くし、上部の幅（図１６のｔ）も薄くすることができるため、フレーム部６１の支持棒部６１Ａ、６１Ｂの棒状部本体にハンガー６５の固定用孔６７を設けても、折り畳んだ際に全体が嵩張ることもない。
【０００６】
ところで、衣料用ハンガーは、一般的に、物干し竿などに懸下させる係止部位である頂上ヘッド部と、衣料品を掛ける部位であるショルダー部と、頂上ヘッド部とショルダー部とを連結するネック部と、ショルダー部の両方の下方端部に連結して設けたボトムバー部とから主に構成されており、前記の頂上ヘッド部として、一般的には、半Ｓ字状のフック（Ｓ字の上半分の形状を有するフック）が使用されている。半Ｓ字状フックを備える衣料用ハンガーは、物干し竿などへの懸下操作が簡便で、構造も単純であるが、屋外で強い風にあたる場合などには、物干し竿などから落下し易い欠点があるので、落下防止機能を重視する場合は、開閉可能なリング状ヘッド部を有する衣料用ハンガー（例えば、特許文献４〜６）が広範に使用されている。
【０００７】
前記の開閉可能なリング状ヘッド部を有する衣料用ハンガー（以下、リング状ヘッドハンガーと称することがある）の１例を、図１７（閉環状態の斜視図）及び図１８（開環状態の斜視図）に示す。図１７及び図１８に示すリング状ヘッドハンガー５は、開閉可能なリング状ヘッド部５１と、ネック部５３と、ショルダー部５５と、ボトムバー部５７とを含む。ネック部５３は、リング状ヘッド部５１とショルダー部５５とを連結する位置にあり、リング状ヘッド部５１を閉環状態に付勢するバネなどの付勢手段（図示せず）を備えているので、開閉部５２は通常は閉じて、ヘッド部５１が閉環リングを形成する（図１７）。しかし、ネック部５３を手８で握ることによって開閉部５２が開き、リング状ヘッド部５１を開環状態（図１８）にして、物干し竿などに簡単に装着することができる。ショルダー部５５とボトムバー部５７は、可撓性材料から構成され、ネック部５３の両方の下端部の距離の変化に応じて変形可能である。なお、リング状ヘッド部５１及びネック部５３の部分は、強度が要求されるので、剛性材料から構成される。
【０００８】
以上のように、リング状ヘッドハンガーでは、脱落防止性及び装着容易性を両立させるために、リング状ヘッド部５１及びネック部５３の部分構造が複雑になるので、半Ｓ字状フックを備える衣料用ハンガーと比較すると、リング状ヘッド部５１及びネック部５３の部分の長さ（図１７のＨ）が長くなり、奥行き（図１７の表面側から裏面側への方向の寸法）も厚くなる。また、ネック部５３の幅（図１７のｗ１）も長くなる。更に、リング状ヘッド部５１の幅（図１７のｗ２）も長くなることがある。
【先行技術文献】
【特許文献】
【０００９】
【特許文献１】実公平２−２５３４７号公報
【特許文献２】実開昭４８−３００２２号公報
【特許文献３】特開２００７−１６７１１５号公報
【特許文献４】特開２００１−１６２０９３号公報
【特許文献５】特開２００１−３３４０９９号公報
【特許文献６】実開平７−２８４８２号公報
【発明の概要】
【発明が解決しようとする課題】
【００１０】
図１６に沿って説明したように、従来から実用化されている折畳式ハンガー掛け具では、折り畳み操作や開き伸ばし操作を円滑に行うことができ、コンパクトに折り畳むことができるという利点があるものの、個々のハンガーが支持棒部に固定されており、ハンガーを着脱自在に装着することができないので、折り畳んだ後の形状の省スペース化にも限界がある。また、ハンガーが狭い間隔で並列に並んでいるので、洗濯物をハンガーに掛ける操作や取り外す操作を必ずしも円滑に行うことができないという欠点がある。
一方、リング状ヘッドハンガーは、着脱自在であり、脱落防止機能を有しているが、上部構造が複雑で長くて厚くなるため、折畳式ハンガー掛け具にそのまま適用すると、コンパクトに折り畳むことが可能な構造にすることは極めて困難である。また、コンパクトな形態への折り畳みを可能にするには、ハンガー相互の取り付け間隔を広げる必要があり、従来の折畳式ハンガー掛け具の全体の長さを延長せずに、同数のハンガーを支持棒部に並列に取り付けることも極めて困難である。例えば、図１６に示す１０連タイプのハンガー掛け具６の全体の長さ（図１６の矢印Ａの方向の長さ）を変えずに、１０個のリング状ヘッドハンガーを着脱自在に並列に取付け可能な構造を構成することも極めて困難である。
更に、リング状ヘッドハンガーは、開閉可能なリング状ヘッド部の１箇所で吊り下げるため、折り畳み操作や開き伸ばし操作の際に、各リング状ヘッドハンガーがヘッド部の係止点を回転中心として、ショルダー部がまちまちの左回転及び右回転を起こし、相互に絡みあい、円滑な折り畳み操作や開き伸ばし操作が困難になる。
【００１１】
従って、本発明の課題は、従来の折畳式ハンガー掛け具の上記の各利点を維持したままで、個々のハンガーを支持棒部に着脱自在に装着することができ、しかも、従来の折畳式ハンガー掛け具の全体の長さを延長せずに、同数のハンガーを支持棒部に並列に取り付けることが可能な折畳式ハンガーホルダーを提供することにある。
更に、前記の折畳式ハンガーホルダーに装着すると、装着時においても極めてコンパクトに折り畳むことのできるリング状ヘッドハンガーと、前記の折畳式ハンガーホルダーとの組合せからなるハンガーセットを提供することにある。
【課題を解決するための手段】
【００１２】
前記の課題は、本発明により、
（１）（ａ）相互に平行で長さ方向に延び、中央に屈伸部を有し、その屈伸部が伸直状態では直線状となる２つ又はそれ以上の支持棒部と、（ｂ）前記の各支持棒部を相互に幅方向で連結する少なくとも２つの連結横棒部と
を含むフレーム部、
（２）前記フレーム部に連結し、前記フレーム部の各支持棒部が水平面上で相互に平行になるように上方から懸下することのできる懸下手段、及び
（３）前記の各支持棒部の下側面に、下側面から下方向に突出して設けられた複数個のハンガー係止部
を含む折畳式ハンガーホルダーであって、
前記の各ハンガー係止部は、それぞれ１つの挿入孔を有し、その挿入孔にはハンガーのヘッド部を挿入することによってハンガーを装着することができ、
前記の各挿入孔は、ハンガーが各支持棒部と直交する方向にハンガーを装着することが可能で、装着されたハンガーは挿入孔に係止されたヘッド部を回転中心として前記支持棒部の長さ方向に回転可能に挿入孔に挿入することができ、
前記フレーム部は、前記ハンガー係止部を有する下側面が相互に近接する方向のみに前記屈伸部を屈曲させることができ、
前記の各支持棒部が、それぞれ同数のハンガー係止部を備え、
前記の各支持棒部において、支持棒部の一方の端部と屈伸部との間を第１ハーフ部分とし、支持棒部のもう一方の端部と屈伸部との間を第２ハーフ部分とした場合に、全ての支持棒部の第１ハーフ部分に設けたハンガー係止部の合計数と、全ての支持棒部の第２ハーフ部分に設けたハンガー係止部の合計数とが同数になり、
或る１つの支持棒部においてハンガー係止部を設けた位置に対応する別の支持棒部の平行対応位置はハンガー係止部を設けていない凹部とし、前記の或る１つの支持棒部においてハンガー係止部を設けていない凹部の位置に対応する別の支持棒部の平行対応位置にはハンガー係止部を設け、
前記の各支持棒部にハンガーを装着しない状態において前記フレーム部を屈曲させ、各支持棒部において、それぞれの第１ハーフ部分と第２ハーフ部分とを最終的に到達可能な最終屈曲状態にした場合に、第１ハーフ部分に設けた各ハンガー係止部は、第２ハーフ部分においてハンガー係止部を設けていない凹部に入り込み、第２ハーフ部分に設けた各ハンガー係止部は、第１ハーフ部分においてハンガー係止部を設けていない凹部に入り込む位置に各ハンガー係止部が配置され、前記フレーム部の全体において、各支持棒部の第１ハーフ部分と第２ハーフ部分とがほぼ平行な完全屈曲状態になる、
ことを特徴とする、前記折畳式ハンガーホルダーによって解決することができる。
【００１３】
本発明による折畳式ハンガーホルダーの好ましい態様においては、前記のハンガー係止部に装着が可能で、開閉可能リング状ヘッド部を有するハンガー１つだけを、ある任意の支持棒部のいずれか１つの任意のハンガー係止部１つだけの挿入孔に装着させて、屈伸部を上方にし、ハンガーを装着させたハンガー係止部が重力方向の下方になるように、その支持棒部と前記ハンガーとを懸下させた場合に、前記ハンガーの開閉可能リング状ヘッド部とそのヘッド部に連結するネック部とが、同一支持棒部上の他のハンガー係止部と接触せず、別の支持棒部上のハンガー係止部とも接触しないように各々のハンガー係止部を配置する。
【００１４】
また、本発明による折畳式ハンガーホルダーの別の好ましい態様においては、前記ハンガー係止部に装着が可能で、開閉可能リング状ヘッド部を有するハンガーを、任意の前記支持棒部の任意の前記ハンガー係止部の挿入孔に装着させ、フレーム部の各支持棒部を水平面に相互に平行に配置し、装着させたハンガーをハンガー係止部から重力方向の下方に懸下させ、前記フレーム部の上方からハンガーの方向に観察した場合に、フレーム部に平行な平面上で、ハンガーのヘッド部を中心としてショルダー部先端が回転する範囲が、ヘッド部とショルダー部先端とを結ぶ直線が支持棒部と直交する状態を基準として左方向及び右方向にそれぞれ６０度以内になるように、挿入孔の開口径及び開口部長さを調整する。
【００１５】
また、本発明は、
（１）前記の折畳式ハンガーホルダーと、
（２）開閉可能リング状ヘッド部を有するハンガーと
の組合せを含むハンガーセットであって、前記ハンガーが、
（ａ）開閉可能なリング状ヘッド部と、
（ｂ）前記ヘッド部と連結し、前記ヘッド部の開閉操作を行うハンドル部を有するネック部と、
（ｃ）前記ネック部に連結するショルダー部と
を含み、
前記ハンガーのリング状ヘッド部が、前記折畳式ハンガーホルダーのハンガー係止部に設けた挿入孔に挿入可能であることを特徴とする、前記ハンガーセットにも関する。
【００１６】
本発明によるハンガーセットの好ましい態様では、前記ハンガーが、前記ハンガー１つだけを、ある任意の支持棒部のいずれか１つの任意のハンガー係止部１つだけの挿入孔に装着させて、屈伸部を上方にし、ハンガーを装着させたハンガー係止部が重力方向の下方になるように、その支持棒部と前記ハンガーとを懸下させた場合に、前記ハンガーの開閉可能リング状ヘッド部とそのヘッド部に連結するネック部とが、同一支持棒部上の他のハンガー係止部と接触せず、別の支持棒部上のハンガー係止部とも接触しないように各々のハンガー係止部を配置されているハンガーである。
【００１７】
また、本発明によるハンガーセットの別の好ましい態様では、前記ハンガーが、前記ハンガーを、任意の前記支持棒部の任意の前記ハンガー係止部の挿入孔に装着させ、フレーム部の各支持棒部を水平面に相互に平行に配置し、装着させたハンガーをハンガー係止部から重力方向の下方に懸下させ、前記フレーム部の上方からハンガーの方向に観察した場合に、フレーム部に平行な平面上で、ハンガーのヘッド部を中心としてショルダー部先端が回転する範囲が、ヘッド部とショルダー部先端とを結ぶ直線が支持棒部と直交する状態を基準として左方向及び右方向にそれぞれ６０度以内になるように、挿入孔の開口径及び開口部長さを調整したハンガーである。
【００１８】
本明細書において、上下の位置関係（例えば、「上方」又は「下方」、あるいは、上側又は下側）は、本発明による折畳式ハンガーホルダーの屈伸部を伸直状態とし、各支持棒部が水平方向の１平面上でそれぞれほぼ平行になるように、懸下手段によって物干し竿などに懸下した状態における上下関係（重力方向）を意味し、それ以外の状態（例えば、物干し竿などに懸下していない状態や、折り畳んだ屈曲状態）での位置関係を限定するものではない。
また、本明細書において、特に断らない限り、本発明による折畳式ハンガーホルダーのフレーム部の長さ方向又は縦方向とは、フレーム部を構成する支持棒部の長さ方向と同じ方向であり、フレーム部の幅方向又は横方向とは、前記の長さ方向と直交する方向を意味する。
【発明の効果】
【００１９】
本発明による折畳式ハンガーホルダーは、種々の任意の衣料用ハンガーを着脱自在に装着することができ、ハンガーの非装着時には、懸下手段も含めて全体をほぼ直方体形状に折り畳むことができ、省スペース化の点で優れている。すなわち、折り畳んだ状態での収納や持ち運びにも有利である。
一方、折畳式ハンガーホルダーと組合せて用いるハンガーは、折畳式ハンガーホルダーから取り外し、別途に、それぞれを独立して使用することが可能であり、あるいは、各ハンガーの形状を並列に揃えてコンパクトにまとめて収納したり、持ち運ぶこともできる。
【００２０】
本発明の折畳式ハンガーホルダーは、脱落防止性に優れた公知の各種のリング状ヘッドハンガー（開閉可能リング状ヘッド部を有するハンガー）の着脱自在型ホルダーとして特に有効に利用することができ、従来の固定型折畳式ハンガー掛け具の全体の寸法と同じ全長及び同じ幅で、従来の固定型折畳式ハンガー掛け具と同数のハンガーを支持棒部に並列に取り付けることができ、しかも、リング状ヘッドハンガーの装着時においても、従来の折畳式ハンガー掛け具とほぼ同程度に、コンパクトに折り畳むことが可能である。
【００２１】
従来の固定型折畳式ハンガー掛け具では、各ハンガーが狭い間隔で並列に固定されて配置されているため、洗濯物を掛ける操作が容易でない欠点があったのに対し、本発明の折畳式ハンガーホルダーでは、ハンガーホルダーから独立した単独のハンガーに洗濯物を掛け、そのハンガーをハンガーホルダーに装着することができるので、洗濯物を掛ける操作が容易になる。同様に、乾いた洗濯物を取り外す操作も、従来の固定型折畳式ハンガー掛け具と比較して容易になる。更に、多数の乾燥中の洗濯物群から、充分に乾燥した洗濯物と、乾燥が不充分な洗濯物とを分離する操作も容易で、例えば、充分に乾燥した洗濯物だけを取り外して、乾燥が不充分な洗濯物を残したり、逆に、乾燥が不充分な洗濯物をハンガーと共に取り外し、別途に、物干し竿などに移動する操作も容易である。
【００２２】
従来の折畳式ハンガー掛け具では、フレーム部の上方から観察した場合に、各ハンガーのショルダー部の両端の横幅を揃えてハンガーが配置されているため、洗濯物がフレーム部の長さ方向（縦方向）に線上に重なって並び、風通しが必ずしも良好でない場合があったのに対し、本発明の折畳式ハンガーホルダーでは、平行に隣接する支持棒部に互い違いにハンガーが装着され、各ハンガーのショルダー部の両端が重なり合わずに外側にずれるため、風通しも良好になる。
【００２３】
本発明によるハンガーセットは、本発明の折畳式ハンガーホルダーと、公知のリング状ヘッドハンガー（開閉可能リング状ヘッド部を有するハンガー）との組合せからなり、従来の固定型折畳式ハンガー掛け具の全体の寸法と同じ全長及び同じ幅で、従来の折畳式ハンガー掛け具と同数のリング状ヘッドハンガーを支持棒部に並列に取り付けることができる。また、本発明のハンガーセットで用いるリング状ヘッドハンガーは、本発明の折畳式ハンガーホルダーとは別途に、独立してハンガーとしても利用可能である。
更に、本発明のハンガーセットにおいては、特定形状のリング状ヘッドハンガーと折畳式ハンガーホルダーとを組み合わせることにより、ハンガーの装着状態で折り畳んだ際に、従来の折畳式ハンガー掛け具とほぼ同程度に、コンパクトに折り畳むことが可能である。
【００２４】
本発明の折畳式ハンガーホルダーでは、支持棒部のハンガー係止部に設ける挿入孔の寸法と、リング状ヘッドハンガーのリング状ヘッド部の寸法とを適宜調整することにより、折り畳み操作や開き伸ばし操作の際に、各リング状ヘッドハンガー相互の絡みあいを有効に防止することができるので、従来の固定型折畳式ハンガー掛け具と同程度の円滑な折り畳み操作や開き伸ばし操作が可能である。
【００２５】
本発明による折畳式ハンガーホルダーは、固定式ハンガーを備えたハンガー掛け具の製造において部品（ハンガーホルダー）としても利用することができ、種々の衣料用ハンガーを固定して装着することができる。この場合でも、各固定ハンガーが平行に隣接する支持棒部に互い違いに装着され、各ハンガーのショルダー部の両端が重なり合わずに外側にずれるため、風通しが良好であり、各ハンガー相互間の外側ショルダー端部の間隔が充分に広くなるため、洗濯物を掛けたり外したりする操作も比較的円滑に行うことができる。更に、各ハンガーのヘッド部が固定されるため、フレーム部に平行な平面上でのショルダー部の左回転又は右回転が事実上発生せず、各ハンガーの回転方向がそれぞれフレーム部の長さ方向に平行に揃うため、折り畳み操作や開き伸ばし操作の際に、各ハンガーが絡み合うこともなく、円滑に折り畳み操作や開き伸ばし操作を行うことができる点では極めて有効である。
【図面の簡単な説明】
【００２６】
【図１】リング状ヘッドハンガーを装着した状態の本発明によるハンガーセットにおいて、折畳式ハンガーホルダーのフレーム部の支持棒部が伸直した直線状の状態を示す斜視図である。
【図２】リング状ヘッドハンガーを装着した状態の本発明によるハンガーセットにおいて、折畳式ハンガーホルダーのフレーム部の支持棒部が屈曲状態を示す斜視図である。
【図３】ハンガーセットからリング状ヘッドハンガーを取り外した状態において、折畳式ハンガーホルダーのフレーム部の支持棒部が伸直した直線状の状態を示す斜視図である。
【図４】ハンガーセットからリング状ヘッドハンガーを取り外した状態において、折畳式ハンガーホルダーのフレーム部の支持棒部が屈曲状態を示す斜視図である。
【図５】折畳式ハンガーホルダーを折り畳んだ際に、開閉型フックを支持棒部の第１ハーフ部分と第２ハーフ部分との間に挿入した状態を示す斜視図である。
【図６】図５の状態を更に折り畳んで、第１ハーフ部分と第２ハーフ部分とをほぼ平行にした状態を示す斜視図である。
【図７】本発明による折畳式ハンガーホルダーを２つに折り畳む方法を示した部分拡大図である。
【図８】リング状ヘッドハンガーのリング状ヘッド部を挿入孔に挿入した状態を示す部分拡大図である。
【図９】支持棒部のハンガー係止部の挿入孔にリング状ヘッドハンガーを装着させた場合において、リング状ヘッドハンガーの上方から観察した状態を示す模式図である。
【図１０】図９に示した状態を側面から観察した模式図である。
【図１１】リング状ヘッドハンガーの１つだけを、一方の支持棒部の１つのハンガー係止部に装着した場合の状態を模式的に示す説明図である。
【図１２】図１１のリング状ヘッドハンガーに追加して、もう１つのリング状ヘッドハンガーを、もう一方の支持棒部の隣接するハンガー係止部に装着した場合の状態を模式的に示す説明図である。
【図１３】支持棒部の第１ハーフ部分の５つのハンガー係止部の全てにリング状ヘッドハンガーを装着した場合の状態を模式的に示す説明図である。
【図１４】本発明による折畳式ハンガーホルダーから製造した固定式ハンガー掛け具の一態様において、フレーム部の支持棒部が伸直した直線状の状態を示す斜視図である。
【図１５】図１４の固定式ハンガー掛け具の一態様において、フレーム部の支持棒部が屈曲した折り畳み状態を示す斜視図である。
【図１６】従来から実用化されている１０連タイプの固定型折畳式ハンガー掛け具を物干し竿に吊り下げた状態の斜視図である。
【図１７】開閉可能なリング状ヘッド部を有する衣料用ハンガーの閉環状態を示す斜視図である。
【図１８】開閉可能なリング状ヘッド部を有する衣料用ハンガーの開環状態を示す斜視図である。
【図１９】開閉可能なリング状ヘッド部を有し、更にネック部にハンドル部を備えた衣料用ハンガーの閉環状態を示す斜視図である。
【発明を実施するための形態】
【００２７】
本発明による折畳式ハンガーホルダーには、任意の公知のハンガーを装着することができる。すなわち、リング状ヘッドハンガー（開閉可能リング状ヘッド部を有するハンガー）だけでなく、半Ｓ字状フックを有する衣料用ハンガーにも適用可能である。しかしながら、前記の図１７及び図１８に示す公知のリング状ヘッドハンガー５を本発明による折畳式ハンガーホルダーに装着する場合に沿って、本発明のハンガーセット及び折畳式ハンガーホルダーの特定の態様を添付図面に沿って説明する。なお、本発明は、図示の態様に限定されるものではない。
【００２８】
図１及び図２は、リング状ヘッドハンガー５を装着した状態の本発明によるハンガーセット１０の斜視図であり、本発明による折畳式ハンガーホルダー２０に、図１７及び図１８に示す公知のリング状ヘッドハンガー５を装着して、物干し竿７に吊り下げた状態を示す。図１は、折畳式ハンガーホルダー２０のフレーム部１の支持棒部１Ａ，１Ｂが伸直した直線状の状態を示し、図２は、フレーム部１の支持棒部１Ａ，１Ｂの屈曲状態を示す。また、図１及び図２に示すハンガーセット１０から、リング状ヘッドハンガー５を取り外した状態を図３（伸直状態）及び図４（屈曲状態）に示す。なお、図３は、折畳式ハンガーホルダー２０を斜め下方から観察した斜視図である。
【００２９】
図１〜図４に示すように、本発明による折畳式ハンガーホルダー２０は、２本の支持棒部１Ａ，１Ｂと、前記の各支持棒部１Ａ，１Ｂを相互に連結する連結横棒部１４，１５を含むフレーム部１を備える。図１〜図４に示す折畳式ハンガーホルダー２０は、連結横棒部１４を両側端部１４ｘ，１４ｙに備えるので、ほぼ長方形型となるが、連結横棒部は端部に設ける必要はない。２本の支持棒部１Ａ，１Ｂは、相互に同じ長さで平行に長さ方向（図１の矢印Ａの方向）に延び、中央に屈伸部１６を有し、その屈伸部１６が伸直状態では直線状となる。本発明による折畳式ハンガーホルダー２０は、更に、フレーム部１の２つの端部領域１３ｘ，１３ｙ（図１及び図４参照）のそれぞれに連結している懸下手段２、及び前記支持棒部１Ａ，１Ｂの一方の側面（すなわち、下面側）に、前記支持棒部１Ａ，１Ｂの下面から突出して設けられた複数個のハンガー係止部３を備えている。
【００３０】
支持棒部１Ａ，１Ｂは、フレーム部１の両端部１４ｘ，１４ｙだけでなく、別途に２つの連結部１５，１５（図３参照）において相互に連結させるのが強度の点で好ましい。また、特に図３に示すとおり、各支持棒部１は、一方の端部１４ｘと前記屈伸部１６との間の第１ハーフ部分１１と、前記支持棒部１のもう一方の端部１４ｙと前記屈伸部１６との間の第２ハーフ部分１２とからなる。すなわち、一方の支持棒部１Ａは、第１ハーフ部分１１Ａと第２ハーフ部分１２Ａとからなり、もう一方の支持棒部１Ｂは、第１ハーフ部分１１Ｂと第２ハーフ部分１２Ｂとからなる。
【００３１】
本発明による折畳式ハンガーホルダー２０は、任意の公知の懸下手段２を備えることができる。懸下手段２は、前記フレーム部１の各支持棒部１Ａ，１Ｂが水平方向の１平面上でそれぞれほぼ平行になるように上方から懸下することができ、従って、連結横棒部１４，１５も水平方向の同一平面上でそれぞれほぼ平行になるように上方から懸下することができる。
【００３２】
懸下手段２としては、例えば、図１６に示す折畳式ハンガー掛け具６が備える懸下手段と同様に、一対の半Ｓ字状フック２１ｘ，２１ｙを支持棒部１の左右の両端領域１３ｘ，１３ｙに設けることができる。半Ｓ字状フック２１ｘ，２１ｙは、支持棒部１の左右方向（図３の矢印Ｃの方向）に回転可能であり、半Ｓ字状フック２１ｘ，２１ｙを用いて、本発明による折畳式ハンガーホルダー２０を物干し竿などに吊り下げる場合は、図３に示すように上方に立てて使用し、折り畳む際は図４に示すように下方に垂れ下げるか、図１の左側半Ｓ字状フック２１ｘのように、支持棒部１の側面に倒すことができる。
【００３３】
懸下手段２としては、図１に示すように、開閉ヘッド部２４と、アーム部２５（２５ｘ，２５ｙ）と、それらを連結する連結部２６と、アーム固定部２７とを含む開閉型フック２３を用いることもできる。アーム部２５（２５ｘ，２５ｙ）の下方の両端部は、フレーム部１の左右の両端領域１３（１３ｘ，１３ｙ）と連結して、本発明による折畳式ハンガーホルダー２０を安定に吊り下げることができる。なお、２本の支持棒部１Ａ，１Ｂを相互に連結する前記連結部１５を設ける位置は限定されないが、図３に示すように、前記連結部１５を中央部に設けず、フレーム部１の左右の両端領域１３（１３ｘ，１３ｙ）の近辺に設けると、懸下手段２として開閉型フック２３を用いる場合には、図５及び図６に示すように、折畳式ハンガーホルダー２０を折り畳んだ際に、開閉型フック２３を支持棒部１Ａ，１Ｂの第１ハーフ部分１１と第２ハーフ部分１２との間に挿入し、図６にしめすように第１ハーフ部分１１と第２ハーフ部分１２とがほぼ平行状態になるまで折り曲げて収納することができる。図１〜図４に示す態様では、懸下手段２として、一対の半Ｓ字状フック２１ｘ，２１ｙと、開閉型フック２３との両方を備える場合を示したが、いずれか一方のみを備えていればよく、あるいは別の懸下手段を設けてもよい。
【００３４】
図７に示すように、本発明による折畳式ハンガーホルダー２０は、支持棒部１Ａ，１Ｂの第１ハーフ部分１１と第２ハーフ部分１２とが中央屈伸部１６の回転軸１７を中心に、上方（図１、図３及び図７の矢印Ｂの方向）へ屈曲し、２つに折り畳むことができる。しかしながら、第１ハーフ部分１１と第２ハーフ部分１２の中央屈伸部側の各端部１８ｘ，１８ｙがストッパー端部として作用するので、逆方向（図１、図３及び図７の矢印Ｂと逆の方向）に屈曲させることはできず、屈伸部１６が伸直状態では、支持棒部１Ａ，１Ｂは直線状となる。
【００３５】
折畳式ハンガーホルダー２０は、それぞれの支持棒部１Ａ，１Ｂが同数のハンガー係止部３を備える。支持棒部の数が３以上の場合も同様である。図１〜図４に示す態様では、支持棒部１Ａが５個のハンガー係止部３を備え、支持棒部１Ｂも５個のハンガー係止部３を備える。
【００３６】
折畳式ハンガーホルダー２０では、一方の支持棒部１Ａの第１ハーフ部分１１Ａが有するハンガー係止部３の数（計２）と、もう一方の支持棒部１Ｂの第１ハーフ部分１１Ｂが有するハンガー係止部３の数（計３）との合計数（５）が、一方の支持棒部１Ａの第２ハーフ部分１２Ａが有するハンガー係止部３の数（計３）と、もう一方の支持棒部１Ｂの第２ハーフ部分１２Ｂが有するハンガー係止部３の数（計２）との合計数（５）と同数になる。支持棒部の数が３以上の場合も同様である。
【００３７】
図１〜図４に示す態様では、折畳式ハンガーホルダー２０が全体で１０個のハンガー係止部３を備えるので、合計で１０個のリング状ヘッドハンガー５を装着することができる。本発明による折畳式ハンガーホルダーにおいては、ハンガー係止部を合計で６個〜１２個備えることが好ましい。
【００３８】
各ハンガー係止部３は、それぞれの１つが１つのハンガーを係止するために、ハンガーのヘッド部を挿入可能な挿入孔３１を有する。図１〜図４に示す態様では、前記の図１７及び図１８に示す公知のリング状ヘッドハンガー５のリング状ヘッド部５１が挿入可能な挿入孔３１を備えている。図８（部分拡大図）に、リング状ヘッドハンガー５のリング状ヘッド部５１を挿入孔３１に挿入した状態を示す。なお、挿入孔３１は、支持棒部１Ａ，１Ｂの本体ではなく、支持棒部１Ａ，１Ｂの下側面から下方向に突出して設けられた各ハンガー係止部３に設ける。
【００３９】
後に、図１１に沿って説明するが、リング状ヘッドハンガー５の１つだけを、一方の支持棒部１Ａの１つのハンガー係止部３Ａ−３に装着させて、屈伸部１６を上方にし、ハンガー５を装着させたハンガー係止部３Ａ−３が重力方向の下方になるように、その支持棒部１Ａと前記ハンガー５とを懸下させた状態で、支持棒部１Ａ（又は１Ｂ）とハンガー５とがほぼ平行に重力方向に懸下されれば、挿入孔３１を設ける位置は、厳密には、限定されない。すなわち、挿入孔３１の全体が各ハンガー係止部３の内部に完全に存在し、支持棒部１Ａ，１Ｂの本体部分にかからないことは、絶対的な条件ではない。
【００４０】
図１及び図２に示す態様では、第１支持棒部１Ａの合計５つのハンガー係止部３に、５つのリング状ヘッドハンガー５Ａ−１，５Ａ−２，５Ａ−３，５Ａ−４，５Ａ−５が装着されており、同様に、第２支持棒部１Ｂの合計５つのハンガー係止部３にも、５つのリング状ヘッドハンガー５Ｂ−１，５Ｂ−２，５Ｂ−３，５Ｂ−４，５Ｂ−５が装着されている。
【００４１】
前記の各挿入孔３１は、リング状ヘッドハンガー５が各支持棒部１Ａ，１Ｂの長さ方向（図１の矢印Ａの方向）と直交する方向にハンガー５を装着することが可能である。すなわち、リング状ヘッドハンガー５のショルダー部５５，５５の両端部５５ｘ，５５ｙを結ぶ線と、各支持棒部１Ａ，１Ｂの長さ方向とが直交する。また、装着されたリング状ヘッドハンガー５は、挿入孔３１に係止されたヘッド部５１を回転中心として、ボトムバー部５７が前記支持棒部１Ａ，１Ｂの長さ方向（図１の矢印Ａの方向）に回転可能に挿入孔３１に挿入されている。従って、折畳式ハンガーホルダー２０のフレーム部１の支持棒部１Ａ，１Ｂが伸直した直線状態（図１）から、フレーム部１を中央屈伸部１６で上方（図１の矢印Ｂの方向）へ屈曲させると、各リング状ヘッドハンガー５は、各ハンガー係止部３において、ヘッド部５１が上方になり、ボトムバー部５７が下方になるように円滑に回転し、図２に示すように、全体をコンパクトに２つに折り畳むことができる。
【００４２】
本発明による折畳式ハンガーホルダーは、丸型棒材や角型棒材を用いて形成することもできるが、軽量化のために、断面Ｕ字型の棒材（以下、Ｕ字型棒材）を使用することもできる。図１〜図４に示す態様のように、フレーム部１の全体をＵ字型棒材から形成し、Ｕ字型棒材の開口側（上方）を下側とし、Ｕ字の閉底側（ボトム部）を上側として、支持棒部１Ａ，１Ｂ、両側端部１４ｘ，１４ｙ、及び２つの連結部１５，１５を形成することができる。また、図８に示すように、Ｕ字型棒材開口側の下側端縁から、２片のハンガー係止部片３３，３４を下側方向へ突出させてハンガー係止部３をすることができる。なお、Ｕ字型棒材を使用する場合は、強化用リブを複数個所に設けることもできる。
【００４３】
ハンガー係止部に設ける挿入孔の形状は、その折畳式ハンガーホルダーと組合せる予定の最適ハンガーのヘッド部の形状に適合させ、任意の形状、例えば、円形又は楕円形とすることができる。図１〜図４に示す態様では、前記の図１７及び図１８に示すリング状ヘッドハンガー５を組合せるので、そのリング状ヘッドハンガー５のリング状ヘッド５１の形状に適合させて、円形である。
【００４４】
また、本発明のハンガーセットの組合せでは、図９に示すように、ハンガー５のヘッド部５１を中心としてショルダー部５５の先端が回転する角度θを、好ましくは６０°以下、より好ましくは５０°以下にすることにより、フレーム部６１に平行な平面上でのショルダー部５５の左回転又は右回転を規制することが好ましい。なお、図９は、前記支持棒部１Ａのハンガー係止部３の挿入孔３１にリング状ヘッドハンガー５を装着させ、支持棒部１Ａを水平方向に平行にして上方に配置し、装着させたハンガー５をハンガー係止部３から重力方向の下方に懸下させ、支持棒部１Ａの上方から前記ハンガー５の方向へ観察した状態を示す模式図である。また、図１０は、その状態を側面から観察した模式図である。
【００４５】
図９において、リング状ヘッドハンガー５の開閉可能リング状ヘッド部５１を中心としてショルダー部５５の先端が回転する角度θは、ヘッド部５１とショルダー部５５の先端とを結ぶ直線が支持棒部１Ａと直交する状態（θ＝０°：図９のショルダー部５５Ａの位置）を基準として、ショルダー部５５を左方向（図９の矢印Ｌ）に回転させ、ショルダー部５５Ｂの位置に移動させた場合には、ショルダー部５５Ａとショルダー部５５Ｂとの間の角度であり、ショルダー部５５を右方向（図９の矢印Ｒ）に回転させ、ショルダー部５５Ｃの位置に移動させた場合には、ショルダー部５５Ａとショルダー部５５Ｃとの間の角度である。前記の角度θは、挿入孔３１の開口径を調整するか、あるいは開口部長さ（図８のハンガー係止部片３３，３４の間の距離）を調整することによって、制御することができる。図９及び図１０に示すとおり、一般的に、前記の角度θを６０°以下とすることにより、折畳式ハンガーホルダー２０のフレーム部１の支持棒部１Ａ，１Ｂが伸直した直線状態（図１）から、フレーム部１を中央屈伸部１６で上方（図１の矢印Ｂの方向）へ屈曲させた場合に、各リング状ヘッドハンガー５は、各ハンガー係止部３において、左方向（図９の矢印Ｌ）又は右方向（図９の矢印Ｒ）への回転が規制されるので、各リング状ヘッドハンガー５が相互に絡み合いにくくなり、円滑な折り畳み操作が可能になる。なお、本発明による折畳式ハンガーホルダーを、固定式ハンガーを備えたハンガー掛け具を製造する際の部品（ハンガーホルダー）としても利用する場合は、固定ハンガーに前記の左方向の回転や右方向の回転が発生しないので、一層円滑な折り畳み操作が可能になる。
【００４６】
次に、本発明の折畳式ハンガーホルダーの支持棒部において、ハンガー係止部を設ける位置について説明する。ハンガー係止部を設ける位置は、個々のそれぞれの支持棒部において、第１ハーフ部分と第２ハーフ部分との間で設置位置が特定の関係にあり、同時に、相互に平行する支持棒部の間でも設置位置が特定の関係にある。
まず、個々のそれぞれの支持棒部における設置位置について説明すると、図４に示すように、各ハンガー係止部３は、各々の支持棒部１Ａ，１Ｂの下側面からほぼ同一の高さで下方向に突出しているので、各々の支持棒部１Ａ，１Ｂにハンガー５を全く装着しない状態において前記フレーム部５を屈曲させ、各支持棒部１Ａ，１Ｂにおいて、それぞれの第１ハーフ部分１１Ａ（１１Ｂ）と第２ハーフ部分１２Ａ（１２Ｂ）とを最終的に到達可能な最終屈曲状態（すなわち、それ以上は折り畳むことができない屈曲状態）にした場合に、第１ハーフ部分１１Ａ（１１Ｂ）に設けた各ハンガー係止部３は、第２ハーフ部分１２Ａ（１２Ｂ）においてハンガー係止部３を設けていない凹部３７に入り込み、第２ハーフ部分１２Ａ（１２Ｂ）に設けた各ハンガー係止部３は、第１ハーフ部分１１Ａ（１１Ｂ）においてハンガー係止部３を設けていない凹部３７に入り込む位置に各ハンガー係止部３が配置されている。従って、前記フレーム部１は、ハンガーを全く装着しない状態においては、各支持棒部の第１ハーフ部分と第２ハーフ部分とがほぼ平行になる完全屈曲状態にすることができる。
【００４７】
次に、相互に平行する支持棒部の間の設置位置について説明する。
まず、本発明の折畳式ハンガーホルダーを、前記フレーム部１の各支持棒部１Ａ，１Ｂ及び連結横棒部１４，１５が水平方向の１平面上でそれぞれほぼ平行になるように上方から懸下した状態で、一方の支持棒部１Ａを手前側とし、もう一方の支持棒部１Ｂを奥側として、一方の支持棒部１Ａの長さ方向の全体が観察可能な方向から本発明の折畳式ハンガーホルダーを観察した場合（すなわち、奥側の支持棒部１Ｂの本体は、手前側の支持棒部１Ａに重なって観察することができない状態）、手前側の支持棒部１Ａにおいてハンガー係止部３を設けていない１つの凹部３７の隙間から、奥側の支持棒部１Ｂに設けた１つのハンガー係止部３をそれぞれ観察することができる。すなわち、前記の観察状態で、ハンガー係止部３を設ける位置が、２つの支持棒部１Ａ，１Ｂにおいて重なり合うことがないため、本発明の折畳式ハンガーホルダーが有するハンガー係止部３の全てを観察することができる。
【００４８】
別の言い方をすると、一方の支持棒部１Ａにおいてハンガー係止部３を設けた位置に対応する別の支持棒部１Ｂの平行対応位置はハンガー係止部３を設けていない凹部３７とし、前記の一方の支持棒部１Ａにおいてハンガー係止部３を設けていない凹部３７の位置に対応する別の支持棒部１Ｂの平行対応位置にはハンガー係止部３を設ける。この関係は、フレーム部が３本以上の支持棒部を有する場合も同様である。
【００４９】
更に、本発明の折畳式ハンガーホルダーにおいて、ハンガー係止部を設ける位置は、折畳式ハンガーホルダーと組合せるハンガーの形状に適合させて好ましい位置にすることもできる。
前記の図１７及び図１８に示すリング状ヘッドハンガー５と組合せるのに好適な本発明の折畳式ハンガーホルダーにおけるハンガー係止部の配置位置を図１１〜図１３に沿って説明する。
図１１は、リング状ヘッドハンガー５の１つだけを、一方の支持棒部１Ａの１つのハンガー係止部３Ａ−３に装着させて、屈伸部１６を上方にし、ハンガー５を装着させたハンガー係止部３Ａ−３が重力方向の下方になるように、その支持棒部１Ａと前記ハンガー５とを懸下させた状態を模式的に示す説明図である。
また、図１２は、図１１のリング状ヘッドハンガー５Ａに追加して、もう１つのリング状ヘッドハンガー５Ｂを、もう一方の支持棒部１Ｂの隣接するハンガー係止部３Ｂ−２に装着させて、屈伸部１６を上方にし、ハンガー５Ａ，５Ｂを装着させたハンガー係止部３Ａ−３，３Ｂ−２が重力方向の下方になるように、その支持棒部１Ａ，１Ｂと前記ハンガー５Ａ，５Ｂとを懸下させた状態を模式的に示す説明図である。
図１３は、更に、支持棒部１Ａ，１Ｂの第１ハーフ部分１１Ａ，１１Ｂの５つのハンガー係止部３の全てにリング状ヘッドハンガー５を装着した場合の状態を模式的に示す説明図である。
図１１〜図１３は、図１及び図２に示す態様に関するものである。なお、図１１〜図１３においては、ハンガー係止部（３Ａ−１，３Ａ−２，３Ａ−３，３Ｂ−１，３Ｂ−２）の位置を明確にする目的で、２片のハンガー係止部片３３，３４の間を黒く塗りつぶして示している。
【００５０】
図１１に示すとおり、１つの支持棒部１Ａにおいて隣接するハンガー係止部３は、リング状ヘッドハンガー５のヘッド部５１の長さ（図１７のＨ方向の長さ）よりも長い間隔とすることが好ましい。また、図１１に示すとおり、１つの支持棒部１Ａの１つのハンガー係止部３Ａ−３にリング状ヘッドハンガー５を装着した場合、そのリング状ヘッドハンガー５のヘッド部５１及びネック部５３が、同じ支持棒部１Ａ上の他のハンガー係止部３Ａ−２，３Ａ−１と接触せず、更に、隣接する支持棒部１Ｂ上のハンガー係止部３Ｂ−２，３Ｂ−１とも接触しないことが好ましい。リング状ヘッドハンガー５のヘッド部５１とネック部５３は、通常は太い（厚い）ので、これらが突起状のハンガー係止部と接触すると、折り畳んだ際に、嵩高になるからである。なお、リング状ヘッドハンガー５のボトムバー部５７は通常は薄い材料からなるので、突起状のハンガー係止部と接触しても折り畳んだ際の嵩高さに対する影響は少ないが、図１１に示すとおり、ボトムバー部５７も、突起状のハンガー係止部と接触しないことが好ましい。
図１１に示す位置関係は、ほとんどの市販のリング状ヘッドハンガー（開閉可能リング状ヘッド部を有するハンガー）に関して当てはまる。また、本発明の折畳式ハンガーホルダーを、特定の寸法を有するリング状ヘッドハンガーと組合せて使用する場合は、その特定のリング状ヘッドハンガーの寸法に合わせて、図１１に示す位置関係を満たすように調整することができる。
【００５１】
図１２のリング状ヘッドハンガー５Ｂに示すとおり、１つの支持棒部１Ｂに１つのリング状ヘッドハンガー５Ｂを装着した場合における各ハンガー係止部との接触関係の好適条件は、前記図１１に沿って説明したとおりである。また、図１２に示すとおり、平行する２つの支持棒部１Ａ，１Ｂの隣接するハンガー係止部３Ａ−３，３Ｂ−２に、それぞれリング状ヘッドハンガー５Ａ，５Ｂを装着した場合には、リング状ヘッドハンガー５Ａ，５Ｂのヘッド部５１Ａ，５１Ｂと、ネック部５３Ａ，５３Ｂとが相互に重なり合わないことが好ましい。図１２に示す位置関係も、ほとんどの市販のリング状ヘッドハンガー（開閉可能リング状ヘッド部を有するハンガー）に関して当てはまる。また、本発明の折畳式ハンガーホルダーを、特定の寸法を有するリング状ヘッドハンガーと組合せて使用する場合は、その特定のリング状ヘッドハンガーの寸法に合わせて、図１２に示す位置関係を満たすように調整することができる。
【００５２】
図１３に示すとおり、リング状ヘッドハンガー５は、支持棒部１Ａ，１Ｂのハンガー係止部３に交互に装着され、支持棒部１Ａ，１Ｂが平行方向にずれているので、リング状ヘッドハンガー５の配置が横方向（図１３及び図１の矢印Ｄの方向）にずれる。従って、リング状ヘッドハンガー５に吊り下げた洗濯物もずれることになり、風通しが良好になる。
【００５３】
前記の図１及び図２に示す態様の本発明によるハンガーセットでは、屈伸部１６を折り畳んだ状態で、１つの支持棒部１Ａのハンガー係止部３の突出先端が、もう一方の支持棒部１Ｂのハンガー係止部３に装着したリング状ヘッドハンガー５のリング状ヘッド部５１とネック部５３との連結部付近と接触し、同様に、もう１つの支持棒部１Ｂのハンガー係止部３の突出先端が、一方の支持棒部１Ａのハンガー係止部３に装着したリング状ヘッドハンガー５のリング状ヘッド部５１とネック部５３との連結部付近と接触する。しかしながら、リング状ヘッド部５１とネック部５３との連結部付近は、各支持棒部１Ａ，１Ｂの凹部に収まるので、図２に示す屈曲状態でも、かさばることが無い。この条件も、ほとんどの市販のリング状ヘッドハンガー（開閉可能リング状ヘッド部を有するハンガー）に関して当てはまる。
【００５４】
前記のとおり、本発明による折畳式ハンガーホルダーには、任意の公知のリング状ヘッドハンガーを着脱自在に装着して、所望の効果を達成することができ、例えば、図１７及び図１８に示す公知のリング状ヘッドハンガー５や、特許文献４〜６に記載のハンガーを利用することができる。更に、図１９に示すリング状ヘッドハンガー５Ａにも適用することができる。このハンガー５０では、ネック部５３に、ハンドル部５４を備え、このハンドル部５４を手で握ることによって開閉部５２を開くことができる。なお、図１９に破線で示すように、ボトムバー部５７は、ショルダー部５５の一方の下端部５５ｙ側に連結して設けられ、もう一方の下端部５５ｘ側に連結していないこともできるし、ボトムバー部５７を備えないこともできる。なお、図１９に示す態様において、図１７及び図１８に示す態様と同じ機能を有する部分は、同じ符号（参照番号）で示し、それらの説明を省略した。
【００５５】
本発明による折畳式ハンガーホルダーのフレーム部には、相互に平行に支持棒部３本以上を設けることができ、必要により、支持棒部以外に、補強用縦棒部を支持棒部と平行に設けることもできる。
【００５６】
なお、本発明による折畳式ハンガーホルダーを、固定式ハンガーを備えたハンガー掛け具を製造する際の部品（ハンガーホルダー）としても利用して製造したハンガー掛け具の一態様を図１４及び図１５に示す。
すなわち、本発明によるハンガー掛け具１０Ａは、ホルダーフレーム部４１に固定式ハンガー４５を固定して含む。本発明によるハンガー掛け具１０Ａにおいても、固定式ハンガーを合計で６個〜１２個装着することが好ましい。なお、図１４及び図１５に示す態様において、図１及び図２に示す態様と同じ機能を有する部分は、同じ符号（参照番号）で示し、それらの説明を省略した。
【産業上の利用可能性】
【００５７】
本発明による折畳式ハンガーホルダーは、種々の衣料用ハンガーを着脱自在に装着することができ、ハンガーの非装着時には極めて省スペース化された直方体状に折り畳むことができるだけでなく、開閉可能なリング状ヘッド部を有する非脱落性ハンガーの着脱自在型ホルダーとして特に有効に利用することができ、前記の非脱落性ハンガーの装着時においても、コンパクトに折り畳むことが可能である。
また、本発明によるハンガーセットは、前記折畳式ハンガーホルダーと、開閉可能なリング状ヘッド部を有する非脱落性ハンガーとの組合せとして利用することができる。
【符号の説明】
【００５８】
１・・・フレーム部；１Ａ，１Ｂ・・・支持棒部；２・・・懸下手段；
３，３Ａ−１，３Ａ−２，３Ａ−３，３Ｂ−１，３Ｂ−２・・・ハンガー係止部；
５５Ａ，５Ａ，５Ｂ・・・リング状ヘッドハンガー；
５Ａ−１，５Ａ−２，５Ａ−３，５Ａ−４，５Ａ−５・・・リング状ヘッドハンガー；
５Ｂ−１，５Ｂ−２，５Ｂ−３，５Ｂ−４，５Ｂ−５・・・リング状ヘッドハンガー；
６・・・固定型折畳式ハンガー掛け具；７・・・物干し竿；８・・・手；
１０・・・ハンガーセット；１１，１１Ａ，１１Ｂ・・・第１ハーフ部分；
１０Ａ・・・ハンガー掛け具；
１２，１２Ａ，１２Ｂ・・・第２ハーフ部分；１３，１３ｘ，１３ｙ・・・端部領域；
１４・・・連結横棒部；１４ｘ，１４ｙ・・・両側端部；１５・・・連結横棒部；
１６・・・屈伸部；２０・・・折畳式ハンガーホルダー；
２１ｘ，２１ｙ・・・半Ｓ字状フック；２３・・・開閉型フック；
２４・・・開閉ヘッド部；２５，２５ｘ，２５ｙ・・・アーム部；
２６・・・連結部；２７・・・アーム固定部；
３１・・・挿入孔３１；３３，３４・・・ハンガー係止部片；
４１・・・ホルダーフレーム部；４５・・・固定式ハンガー；
５１，５１Ａ，５１Ｂ・・・リング状ヘッド部；５２・・・開閉部；
５３，５３Ａ，５３Ｂ・・・ネック部；５４・・・ハンドル部；
５５，５５Ａ，５５Ｂ，５５Ｃ・・・ショルダー部；
５５ｘ，５５ｙ・・・ショルダー部の両端部；５７・・・ボトムバー部；
６１・・・フレーム部；６１Ａ，６１Ｂ・・・支持棒部；
６２・・・開閉型フック部；６２ａ・・・開閉ヘッド部；６２ｂ・・・アーム部；
６２ｃ・・・連結部；６３・・・連結横棒部；
６４ｘ，６４ｙ・・・フック；６５・・・ハンガー；６６・・・中央屈伸部。
【図１】
0005663208.tif 000002
【図２】
0005663208.tif 000003
【図３】
0005663208.tif 000004
【図４】
0005663208.tif 000005
【図５】
0005663208.tif 000006
【図６】
0005663208.tif 000007
【図７】
0005663208.tif 000008
【図８】
0005663208.tif 000009
【図９】
0005663208.tif 000010
【図１０】
0005663208.tif 000011
【図１１】
0005663208.tif 000012
【図１２】
0005663208.tif 000013
【図１３】
0005663208.tif 000014
【図１４】
0005663208.tif 000015
【図１５】
0005663208.tif 000016
【図１６】
0005663208.tif 000017
【図１７】
0005663208.tif 000018
【図１８】
0005663208.tif 000019
【図１９】
0005663208.tif 000020